(57)【特許請求の範囲】
【請求項１】
上部円盤と、下部円盤と、これら二つの円盤を結合する蝶番と、上部円盤又は下部円盤の内側に設け、磁石の極性が交互に反対になるように磁石を円周上に配列した固定子と、下部円盤又は上部円盤の内側に設け、磁石の極性が交互に反対になるように磁石を円周上に配列した回転子と、この回転子を回転させるための突起と、を設けたことを特徴とするページホルダー。
【請求項２】
前記、上部円盤又は下部円盤の内側に設け、回転子と同一平面上になるように固定されたストッパーと、この同一平面とは直角のこのストッパーの両面にそれぞれ設けた磁石と、このストッパーの両面と対峙する回転子の両面にそれぞれ設けた磁石と、を設けたことを特徴とする請求項１記載のページホルダー。
【請求項３】
前記、下部円盤に重しを設けたことを特徴とする請求項１又は請求項２記載のページホルダー。
【発明の詳細な説明】
【技術分野】
【０００１】
この発明は、開頁保持具に関する。
【背景技術】
【０００２】
読書する際に、その書籍に取り付けて所望する頁を開いた状態に保持し、頁をめくる際にも開いた状態を維持しうる器具の提案としては、従来のクリップ式の形状は、図９に示すように、クリップ１８に書物２０の跳ね返りを防止するためのクリップ架台部１９が設けられたものなどである。
【特許文献１】特開平０９−１４２０５５号公報
【特許文献２】特開平０８−２５２９９２号公報
【発明の開示】
【発明が解決しようとする課題】
【０００３】
しかしながら、以上の技術によれば、頁を移動する際に開閉するクリップのばねの力は、手指にそのまま懸かって来て重かった。さらに書籍の跳ね返りを防止する為の架台を設ける必要があった。
そこで、この発明は、手指にかかる力が少なくて済み、さらに架台を設けなくて済むことのできる開頁保持具を提供することを課題とする。
【課題を解決するための手段】
【０００４】
以上の課題を解決するために、第一発明は、上部円盤と、下部円盤と、これら二つの円盤を結合する蝶番と、上部円盤又は下部円盤の内側に設け、磁石の極性が交互に反対になるように磁石を円周上に配列した固定子と、下部円盤又は上部円盤の内側に設け、磁石の極性が交互に反対になるように磁石を円周上に配列した回転子と、この回転子を回転させるための突起と、を設けたことを特徴とするページホルダーである。
【０００５】
また、第二発明は、上部円盤又は下部円盤の内側に設け、回転子と同一平面上になるように固定されたストッパーと、この同一平面とは直角のこのストッパーの両面にそれぞれ設けた磁石と、このストッパーの両面と対峙する回転子の両面にそれぞれ設けた磁石と、を設けたことを特徴とするページホルダーである。
【０００６】
また、第三発明は、下部円盤に重しを設けたことを特徴とするページホルダーである。
【発明の効果】
【０００７】
第一発明によれば、ページホルダーの一対の円盤内に極性が交互に反対になるように磁石を円周上に配列したことで、一方の円盤内の配列された磁石を有する部分の回転角度を変えることで、磁石の反発力、吸着力の作用を受けて、一対の円盤の蝶番を軸とした開閉が行われる。したがって、ページホルダーの円盤相互の開閉操作での手指への負担を少なくして、書籍などの頁の挟み込みやリリースができる。
【０００８】
また第二発明によれば、一方の円盤内の配列された磁石を有する部分を回転させる際に、開操作のみで閉操作は磁石同士の反発と次に続く吸着の作用によって自動的に行われ、手指への負担が少ない。また第三発明によれば、重しに加え、さらに磁石の重みが加わることで、書籍の跳ね返りが軽減され、確実に、かつ安定した状態で書籍の頁を開いておくことができる。
【発明を実施するための最良の形態】
【０００９】
この発明の一実施形態を、図１等に示す。
図１は、ページホルダー１の透視図であって、ページホルダー１は、蝶番５によって結合された上部円盤２と下部円盤３から形成され、上部円盤２の内部にある回転子６を回転させる突起として、図１に見られる開閉スライドバー４の他に図１１に見られる回転ノブ２１がある。
【００１０】
以下開閉スライドバー４を用い説明する。この開閉スライドバー４の操作によって、蝶番５を軸に円盤同士が開閉するように形成されており、６は上部円盤２に内蔵されている回転子であり、７は下部円盤３に内蔵されている固定子である。いずれも材質は概ねプラスチックである。
【００１１】
図３は、ページホルダー１の外観図である。
図４は、回転子６の構造を表すものであり、８の開閉マグネット群Ａは、磁石の極性が交互に反対になるように円周上に配列されたものであり、図５に表される、固定子７において、同様に磁石の極性が交互に反対になるように９の開閉マグネット群Ｂを円周上に配列している。開閉スライドバー４は回転子６に直結されており、開閉スライドバー４をスライドすることによって回転子６も回転するように形成されている。
【００１２】
図６は、図４の回転子６が内部にはめ込まれる上部円盤２の内部を表したものであり、内部にストッパー１１が設けられており、内部にはめ込まれる回転子６がストッパー１１と接触するストッパー１１の両面には、それぞれ１４の吸着マグネットＢと１５の反発マグネットＢの磁石が設けられている。
【００１３】
また、図４に表されるように、回転子６がストッパー１１と接触する回転子６の両面には、それぞれ１２の吸着マグネットＡと１３の反発マグネットＡの磁石が設けられている。１２の吸着マグネットＡと１４の吸着マグネットＢが対峙する面の磁石間の極性は異極性であり、１３の反発マグネットＡと１５の反発マグネットＢが対峙する面の磁石間の極性は同極である。
【００１４】
図５は、下部円盤３の内部構造を表すものであり、固定子７の下に、重し１７が設けられている。
【００１５】
「実施形態の効果」
この実施形態によれば、図１において、開閉スライドバー４を開位置にスライドした位置においては、回転子６の開閉マグネット群Ａと対峙する、固定子７の開閉マグネット群Ｂ間の磁石の極性は、円盤の内側では図１のように同極性の状態となる。その結果、上部円盤２と下部円盤３間に作用する相互のそれぞれの磁石の反発力により、蝶番５を軸として上部円盤２と下部円盤３が引き離され、手指への負担を少なくして書籍などの頁のリリースがしやすい。
【００１６】
また図２において、開閉スライドバー４を閉位置にスライドした位置においては、８の開閉マグネット群Ａと対峙する、９の開閉マグネット群Ｂ間の磁石の極性は、円盤の内側では図２のように異極性の状態となる。その結果、上部円盤２と下部円盤３間に作用する相互のそれぞれの磁石の吸着力により、蝶番５を軸として上部円盤２と下部円盤３が引っ張られ、手指への負担を少なくして書籍などの頁の挟み込みがしやすい。
【００１７】
また、図７で図示されるように、開閉スライドバー４が開位置にある時に、開閉スライドバー４と直結する回転子６の１３の反発マグネットＡとストッパー１１の１５の反発マグネットＢの磁石間の同極相互の作用によって、開閉スライドバー４を手指から離すと同時に、磁石間の反発力により、回転子６は開閉スライドバー４が閉位置となる方向に回転する。
【００１８】
さらに回転子６の１２の吸着マグネットＡとストッパー１１の１４の吸着マグネットＢの磁石間の異極相互の作用によって引き合って、引き続き回転子６は開閉スライドバー４が閉位置となる方向に回転し、図８で図示されるように、最終的に回転子６に直結するスライドバー４は閉位置となる。すなわち、書籍などの頁を挟み込み状態にすることができ、手指への負担が少ない。
【００１９】
さらに、図５で図示されるように下部円盤３の内部の重し１７の重量に加え、各円盤に内蔵する磁石の重みが加わることで、書籍の跳ね返りが軽減され、確実に、かつ安定した状態で書籍の頁を開いておくことができる。
【００２０】
「他の実施形態」
図１の実施形態では、上下円盤の開閉操作を行う開閉スライドバー４は、円盤の側面に設けられていたが、他の実施形態では、図１１に示すように、上部円盤２の上面に、上部円盤２の内側に設けられている回転子６と直結して回転できるような回転ノブ２１を設けたものでも良い。
【図面の簡単な説明】
【００２１】
【図１】この発明の一実施形態を示す開状態でのページホルダーの透視図である。
【図２】この発明の一実施形態を示す閉状態でのページホルダーの透視図である。
【図３】この発明の一実施形態を示すページホルダー本体の外観図である。
【図４】この発明の一実施形態を示す回転子の外観図である。
【図５】この発明の一実施形態を示す下部円盤内部構造図である。
【図６】この発明の一実施形態を示す上部円盤内部構造図である。
【図７】この発明の一実施形態を示す開状態での上部円盤内部平面構造図である。
【図８】この発明の一実施形態を示す閉状態での上部円盤内部平面構造図である。
【図９】従来技術を示す外観図である。
【図１０】この発明品の一実施形態を示す書籍下部から見た外観図である。
【図１１】この発明品の他の実施形態を示すページホルダーの外観図である。
【符号の説明】
【００２２】
１  ページホルダー                ２  上部円盤
３  下部円盤                      ４  開閉スライドバー
５  蝶番                          ６  回転子
７  固定子                        ８  開閉マグネット群Ａ
９  開閉マグネット群Ｂ            １１  ストッパー
１２  吸着マグネットＡ            １３  反発マグネットＡ
１４  吸着マグネットＢ            １５  反発マグネットＢ
１７  重し                        １８  クリップ
１９  クリップ架台部              ２０  書物
２１  回転ノブ
【図１】
0004755009.tif 000002
【図２】
0004755009.tif 000003
【図３】
0004755009.tif 000004
【図４】
0004755009.tif 000005
【図５】
0004755009.tif 000006
【図６】
0004755009.tif 000007
【図７】
0004755009.tif 000008
【図８】
0004755009.tif 000009
【図９】
0004755009.tif 000010
【図１０】
0004755009.tif 000011
【図１１】
0004755009.tif 000012